(57)【特許請求の範囲】
【請求項１】
給水源から供給される洗浄水により便器を洗浄して汚物を排出する水洗大便器であって、
ボウル形状の汚物受け面と、上縁部を構成するリム部と、このリム部と汚物受け面との間に形成された棚部と、を備えたボウル部と、
このボウル部の下方にその入口が接続され汚物を排出する排水路と、
上記ボウル部の前後方向を中心とした一方の側の後方側に位置すると共に上記ボウル部の棚部上に洗浄水を吐水して旋回流を形成する第１の吐水部と、
上記ボウル部の第１の吐水部より下流側に位置し、上記棚部上に洗浄水を吐水して上記第１の吐水部による旋回流と同一方向の旋回流を形成する第２の吐水部と、
上記給水源から洗浄水を第１の吐水部に供給する第１の通水路と、
上記給水源から洗浄水を第２の吐水部に供給する第２の通水路と、を有し、
上記第２の通水路は、洗浄水の流速を低下させる流速抑制部と、この流速抑制部により流速が低下した洗浄水を上記第２の吐水部に向けて上記棚部に対して平面視で上記ボウル部側に傾斜する方向に供給する傾斜部と、を備え、上記流速抑制部は、第２の通水路内に形成された上下方向に延びる段部であることを特徴とする水洗大便器。
【請求項２】
上記ボウル部のリム部の内周面は、上記棚部からほぼ垂直方向に延びる平坦面により形成されている請求項１に記載の水洗大便器。
【発明の詳細な説明】
【技術分野】
【０００１】
本発明は、水洗大便器に係わり、特に、旋回流を形成して洗浄及び汚物の排出を行う水洗便器に関する。
【背景技術】
【０００２】
従来から、例えば、特許文献１に記載されているような、ボウル形状の汚物受け面と、上縁部でありその内周面が内方に向ってオーバーハングしたリム部と、このリム部と汚物受け面との間に形成された棚部とを備えたボウル部と、ボウル部の下方にその入口が接続され汚物をサイホン作用により排出する排水路と、を備えた水洗大便器が知られている。
【０００３】
この特許文献１に記載された水洗大便器は、ボウル部の棚部上に洗浄水を吐水し旋回流を形成する第１の吐水部と、ボウル部の棚部上に第１の吐水部による旋回流の旋回方向と同一方向に洗浄水を吐水する第２の吐水部と、洗浄水タンクから洗浄水を第１の吐水部に供給する第１の通水路と、第１の吐水部の上方のリム部の内部に形成され洗浄水タンクから洗浄水を第２の吐水部に供給する第２の通水路と、を備えている。
【先行技術文献】
【特許文献】
【０００４】
【特許文献１】再公表特許ＷＯ2004/022862号公報
【発明の概要】
【発明が解決しようとする課題】
【０００５】
上述した特許文献１に記載された水洗大便器においては、第１の吐水部及び第２の吐水部から棚部に吐水された洗浄水が、リム部の内周面に沿って同一方向に旋回するようになっている。この水洗大便器においては、第２の吐水部から吐水された洗浄水が第１の吐水部から吐水される洗浄水と衝突してリム部を越えて飛散することを防止するため、洗浄水を第２の吐水部に供給する第２の通水路の先端部をＵターン形状とし、これにより、第２の吐水口から吐水される洗浄水の流速を低下させ、上述した飛散を防止するようにしていた。
【０００６】
しかしながら、水洗大便器のボウル部の清掃性を向上させるためには、リム部の内周面がオーバーハングしていないか、又は、オーバーハングの度合いが小さいことが望ましい。このように、リム部の内周面がオーバーハングしていない等の場合には、特許文献１の水洗大便器のように、第２の通水路の先端部をＵターン形状にしたのみでは、第２の吐水口から吐水された洗浄水が第１の吐水口から吐水される洗浄水と衝突（干渉）してリム部を越えて飛散することを抑制することはできず、更なる、改良が必要であった。
【０００７】
そこで、本発明は、従来の水洗大便器が持つ問題点を解決するためになされたものであり、リム部を越えて洗浄水が飛散することを防止し便器の清掃性を向上させた水洗大便器を提供することを目的としている。
【課題を解決するための手段】
【０００８】
上記の目的を達成するために、本発明は、給水源から供給される洗浄水により便器を洗浄して汚物を排出する水洗大便器であって、ボウル形状の汚物受け面と、上縁部を構成するリム部と、このリム部と汚物受け面との間に形成された棚部と、を備えたボウル部と、このボウル部の下方にその入口が接続され汚物を排出する排水路と、ボウル部の前後方向を中心とした一方の側の後方側に位置すると共にボウル部の棚部上に洗浄水を吐水して旋回流を形成する第１の吐水部と、ボウル部の第１の吐水部より下流側に位置し、棚部上に洗浄水を吐水して第１の吐水部による旋回流と同一方向の旋回流を形成する第２の吐水部と、給水源から洗浄水を第１の吐水部に供給する第１の通水路と、給水源から洗浄水を第２の吐水部に供給する第２の通水路と、を有し、第２の通水路は、洗浄水の流速を低下させる流速抑制部と、この流速抑制部により流速が低下した洗浄水を第２の吐水部に向けて棚部に対して平面視でボウル部側に傾斜する方向に供給する傾斜部と、を備え、流速抑制部は、第２の通水路内に形成された上下方向に延びる段部であることを特徴としている。
このように構成された本発明においては、第２の通水路を流れる洗浄水の流速が流速抑制部により低下され、その後、この流速が低下した洗浄水が傾斜部により洗浄水を第２の吐水部に向けて棚部に対して平面視でボウル部側へ傾斜する方向に供給されるので、第２の吐水部から吐水される洗浄水は、旋回方向の成分のみの従来のものに比べて、その旋回方向の成分が小さくなり且つボウル部中心方向の成分が大きくなり、それにより、第２の吐水部から吐水された洗浄水が第１の吐水部から吐水される洗浄水と衝突（干渉）してリム部を越えて飛散することを抑制することができる。さらに、本発明においては、第２の通水路内に形成された段部が抵抗となり洗浄水の流速が低下するので、第２の吐水部から吐水された洗浄水が第１の吐水部から吐水される洗浄水と衝突（干渉）してリム部を越えて飛散することを抑制することができる。
【００１１】
本発明において、好ましくは、ボウル部のリム部の内周面は、棚部からほぼ垂直方向に延びる平坦面により形成されている。
このように構成された本発明においては、ボウル部のリム部の内周面が棚部からほぼ垂直方向に延びる平坦面により形成されているので、リム部がオーバーハングにより形成されたものよりも、清掃性が向上する。
【発明の効果】
【００１２】
本発明の水洗大便器によれば、リム部を越えて洗浄水が飛散することを防止し便器の清掃性を向上させることが出来る。
【図面の簡単な説明】
【００１３】
【図１】本発明の実施形態による水洗大便器を示す平面図である。
【図２】図１のII−II線に沿って見た断面図である。
【図３】図１のIII−III線に沿って見た断面図（貯水タンクは省略）である。
【図４】図１のIV-IV線に沿って見た部分断面図である。
【図５】図４のV−V線に沿って見た部分断面図である。
【図６】図１のVI−VI線に沿って見た部分断面図である。
【発明を実施するための形態】
【００１４】
以下、本発明の実施形態による水洗大便器を添付図面を参照して説明する。先ず、本発明の実施形態による水洗大便器の基本構造を図１乃至図３により説明する。ここで、図１は本発明の第１実施形態による水洗大便器を示す平面図であり、図２は図１のII−II線に沿って見た断面図であり、図３は図１のIII−III線に沿って見た断面図（貯水タンクは省略）であり、図４は図１のIV-IV線に沿って見た部分断面図である。
【００１５】
図１乃至図４に示すように、本実施形態による水洗大便器１は、表面に釉薬層が形成された陶器製であり、下部にスカート部２が形成され、上半部のうち前方にボウル部４が形成され、後方上部に導水路６、後方下部にサイホン作用により汚物を排出する排水路８がそれぞれ形成されている。さらに、水洗大便器１の後方上部には、導水路６に連通する、貯水タンク１０が設けられている。また、この貯水タンク１０内には、排水弁１１が設けられており、操作レバー（図示せず）により開閉するようになっている。なお、本発明は、貯水タンクを備えた水洗大便器以外に、水道水の圧力を利用した、例えば、フラッシュバルブを備えたタイプの水洗大便器等にも適用可能である。
【００１６】
ボウル部４は、ボウル形状の汚物受け面１２と、上縁部を構成するリム部１４と、この汚物受け面１２とリム部１４との間に形成された棚部１６を備えている。ここで、リム部１４の内側面１４ａは、上から見て死角になる箇所がないように、棚部１６からほぼ垂直方向に延びる平坦面（スムーズな平面）により形成されている。
【００１７】
ボウル部４の汚物受け面５の中央で溜水の水面下となる箇所には排水路８の入口８ａが開口し、この入口８ａから上昇路８ｂが後方に延び、この上昇路８ｂには下降路（縦管）８ｃが連続し、下降路８ｃの下端は、ジョイント（図示せず）を介して排出管（図示せず）に接続されている。
【００１８】
また、水洗大便器１のボウル部４の前方から見て左側の後方側には、棚部１６上に洗浄水を吐水する第１の吐水口１８と、ボウル部４の前方から見て右側の後方側には、棚部１６上に洗浄水を吐水する第２の吐水口２０が形成され、これらの第１の吐水口１８及び第２の吐水口２０は、同一方向の旋回流（平面視で反時計回り）を形成するようになっている。
【００１９】
更に、水洗大便器１のボウル部４には、ボウル部４の溜水面の位置よりも上方で棚部１６よりも下方の位置で且つ前方から見て左側（ボウル部側面）にスリット形状のサイドゼット穴２２が形成されている。このサイドゼット穴２２から吐水された洗浄水は、排水路８の入口８ａに向かって流れ、汚物を効率的に排水路８に押し込むようになっている。
【００２０】
導水路６は、便器の前方に向かって、３つの通水路、即ち、第１の吐水口１８に洗浄水を供給する第１の通水路２４、第２の吐水口２０に洗浄水を供給する第２の通水路２６、サイドゼット穴２２に洗浄水を供給する第３の通水路２８に分岐している。なお、サイドゼット穴を形成した場合には、効果的な洗浄が可能であるが、第１の吐水口１８及び第２の吐水口２０のみから棚部１６上に洗浄水を吐水し、このサイドゼット穴を設けないようにしてもよい。
【００２１】
次に、図１乃至図４に加えて、図５及び図６を参照して、本実施形態による水洗大便器１の第２の通水路２６の詳細構造を説明する。図５は図４のV−V線に沿って見た部分断面図であり、図６は図１のVI−VI線に沿って見た部分断面図である。
【００２２】
先ず、第２の通水路２６は、上流側から下流側の第２の吐水口２０に向かって、拡大直線状通水路２６ａ、上下方向に延びる段部２６ｂ、ボウル部４の洗浄水の旋回流の方向と逆方向に洗浄水を流すための扁平状通水路２６ｃ、鉛直方向に延び洗浄水を下方に流すための鉛直通水路２６ｄ、洗浄水を棚部１６に対して平面視でボウル部４側に傾斜する方向に供給し且つボウル部４の洗浄水の旋回流の方向とほぼ同方向に洗浄水を流すための傾斜通水路２６ｅとを備えている。これらの鉛直通水路２６ｄ及び傾斜通水路２６ｅは、第２の吐水口２０付近のリム部１４の内周面１４ａの一部として形成されている。
【００２３】
ここで、第２の通水路２６において、段部２６ｂは、第２の吐水口２０へ流れる洗浄水の流量を調整し、さらに、流速抑制部であり、洗浄水が衝突することにより、流体抵抗となり、これにより、洗浄水の流速が低下する。さらに、扁平状通水路２６ｃ、鉛直通水路２６ｄ、及び、傾斜通水路２６ｅは、洗浄水の流れが屈曲する屈曲部（＝流速抑制部）を構成し、この屈曲部にて圧力損失が発生し、洗浄水の流速が低下する。
【００２４】
さらに、図５に示すように、第２の通水路２６から第２の吐水口２０に供給される洗浄水の流速Ｖは、鉛直通水路２６ｄから傾斜通水路２６ｅを経て、第２の吐水口２０に向かって、棚部１６に対して平面視でボウル部４側に角度θだけ傾斜する方向に吐水されるようになっている。そのため、洗浄水の流速Ｖは、旋回方向の成分Ｖｘと、ボウル部中心方向の成分Ｖｙを有し、従来のもの（洗浄水の流速が旋回方向の成分のみを有するもの）に比べ、第２の吐水口２０から吐水される洗浄水の旋回方向の成分が小さくなり且つボウル部中心方向の成分が大きくなる。この洗浄水の旋回方向の成分Ｖｘ及びボウル部中心方向の成分Ｖｙは、傾斜通水路２６ｅのリム部１４内周面に沿った長さＬ（図６参照）の大きさにより、調整することができる。本実施形態では、長さＬを比較的短くすることにより、ボウル部中心方向の成分Ｖｙを大きくしている。
【００２５】
次に上述した本発明の実施形態による水洗大便器における作用を説明する。
先ず、水洗大便器の基本的な作用を説明する。最初に、便器洗浄のための操作レバー（図示せず）を操作すると、貯水タンク１０内に設けられた排水弁１１が開き、貯水タンク１０内の洗浄水が導水路６に流入し、導水路６から、第１の通水路２４、第２の通水路２６、第３の通水路２８に分岐して流入する。
【００２６】
第１の通水路２４に流入した洗浄水は、第１の吐水口１８に到達し、第１の吐水口１８から棚部１６上に吐水される。第２の通水路２６に流入した洗浄水は、上述した第２の通水部２６を通って第２の吐水口２０に到達し、第２の吐水口２０から棚部１６上に斜めの方向に吐水される。第３の通水路２８に流入した洗浄水は、サイドゼット穴２２に到達し、サイドゼット穴２２から、ボウル部４内の溜水を上下方向に攪拌するように噴出すると共に排水路８の入口８ａに向けて噴出するようになっている。
【００２７】
本実施形態による水洗大便器１においては、第１の吐水口１８から吐水された洗浄水により、ボウル部４の第１の吐水口１８から第２の吐水口２０の間の領域が洗浄され、さらに、第２の吐水口２０から吐水された洗浄水及び第１の吐水口１８から吐水された洗浄水の一部により、ボウル部４の第２の吐水口２０とその下流側にある第１の吐水口２０の間の領域が洗浄される。このようにして、本実施形態によれば、第１の吐水口１８及び第２の吐水口２０から吐水される洗浄水により、ボウル部４の全領域を効果的に洗浄することが出来るようになっている。
【００２８】
さらに、ボウル部４において、第１の吐水口１８及び第２の吐水口２０により吐水された洗浄水は、反時計回りの旋回流となるので、ボウル部４内の汚物は、この旋回流の中心付近に集まり、排水路８のサイホン作用による吸引力と、サイドゼット穴２２からボウル部４内の溜水を上下方向に攪拌する攪拌力と、排水路８の入口８ａに向かう流れによる押し込み力により、効果的に排水路８の入口８ａに送りこまれ、排水路８から外部に排出されるようになっている。
なお、本発明は、上述したサイホン作用により汚物を排出する便器以外に、サイホン作用を利用しない洗い落し式便器等にも、適用可能である。
【００２９】
次に、本実施形態においては、第２の通水路２６を流れる洗浄水の流速が段部２６ｂ、並びに、扁平状通水路２６ｃ、鉛直通水路２６ｄ、及び、傾斜通水路２６ｅは、洗浄水の流れが屈曲する屈曲部により低下され、その後、この流速が低下した洗浄水が、鉛直通水路２６ｄ及び傾斜通水路２６ｅにより洗浄水を第２の吐水口２０に向けて棚部１６に対して平面視でボウル部４側へ傾斜する方向に供給されるので、第２の吐水口２０から吐水される洗浄水は、旋回方向の成分Ｖｘのみの従来のものに比べて、その旋回方向の成分Ｖｘが小さくなり且つボウル部中心方向の成分Ｖｙが大きくなり、それにより、第２の吐水口２０から吐水された洗浄水が第１の吐水口１８から吐水される洗浄水と衝突（干渉）してリム部を越えて飛散することを抑制することができる。
【００３０】
また、本実施形態においては、第２の通水路２６内に上述した扁平状通水路２６ｃ、鉛直通水路２６ｄ、及び、傾斜通水路２６ｅにより屈曲部が形成されているので、この屈曲部により圧力損失を発生して、より効果的に洗浄水の流速を低下させることができる。
【００３１】
また、本実施形態において、第２の通水路２６内に段部２６ｂが形成されているので、この段部２６ｂが抵抗となり、より効果的に洗浄水の流速を低下させることができる。
【００３２】
さらに、本実施形態において、ボウル部４のリム部１４の内周面１４ａは、棚部１６からほぼ垂直方向に延びる平坦面により形成されているので、清掃の際には使い捨ての紙等を使用して簡単に内側面１４ａを拭き取ることができるので、リム部がオーバーハングにより形成された従来のものよりも、清掃性が向上する。
【符号の説明】
【００３３】
１  水洗大便器
２  スカート部
４  ボウル部
６  導水路
８  排水路
８ａ  入口
１０  貯水タンク
１１  排水弁
１２  汚物受け面
１４  リム部
１４ａ  内側面
１６  棚部
１８  第１の吐水口
２０  第２の吐水口
２２  サイドセット穴
２４  第１の通水路
２６  第２の通水路
２６ａ  拡大直線状通水路
２６ｂ  段部
２６ｃ  扁平状通水路
２６ｄ  鉛直通水路
２６ｅ  傾斜通水路
２８  第３の通水路
【図１】
0005740788.tif 000002
【図２】
0005740788.tif 000003
【図３】
0005740788.tif 000004
【図４】
0005740788.tif 000005
【図５】
0005740788.tif 000006
【図６】
0005740788.tif 000007